(57)【要約】【課題】過去の健診情報及び今回の問診情報から健診検査項目をプライオリティの高い順に自動選択することができる健診情報入力システムを提供する。【解決手段】健診を実施する上で必要な健診システムプログラム等が格納された健診システムサーバー２と、健診者が過去に受けた健診の際に得られた健診情報及び今回の問診情報から、自覚症状や既往歴、業務歴のように項目別にプライオリティを設定したプライオリティ設定テーブルを格納したデータベースサーバー３と、健診情報システムサーバーにアクセスして、健診の受付や健診項目の設定、追加受診項目の設定、問診情報の入力等を行う電子端末５と、健診システムサーバーとデータベースサーバー、電子端末とを接続するネットワーク６と、電子端末で設定した検査項目に対し、データベースサーバーに登録された今回のプライオリティの累積値を算出し、算出されたプライオリティ値の高い順から受診項目を自動選択する自動選択手段とから構成されている。【選択図】図１
2008117177.tif 000002
【特許請求の範囲】
【請求項１】
健診設備において健診を受ける際に、健診者に最適な検査項目を選択するための健診情報入力システムであって、健診を実施する上で必要な健診システムプログラム等が格納された健診システムサーバーと、前記健診者が過去に受けた健診の際に得られた健診情報及び今回の問診情報から、自覚症状や既往歴、業務歴のように項目別にプライオリティを設定したプライオリティ設定テーブルを格納したデータベースサーバーと、前記健診施設において前記健診者の検体検査や生理検査等を実施する外部接続システムと、前記健診情報システムサーバーにアクセスして、健診の受付や健診項目の設定、追加受診項目の設定、問診情報の入力等を行う電子端末と、前記健診システムサーバーと前記データベースサーバー、前記外部接続システム及び前記電子端末とを接続するネットワークと、前記電子端末で設定した検査項目に対し、前記データベースサーバーに登録された今回受診のプライオリティの累積値を算出し、算出されたプライオリティ値の高い順から受診項目を自動選択する自動選択手段とを具備したことを特徴とする健診情報入力システム。
【請求項２】
前記自動選択手段は、前記電子端末の表示手段に表示された受診項目一覧の受診の可否を設定するようにしてなる請求項１に記載の健診情報入力システム。
【請求項３】
前記自動選択手段は、前記電子端末の表示画面に表示された自己負担金上限設定の画面の自己負担金上限設定エリアに支払い上限金額を設定し、設定された金額以下になるように検査項目を自動設定するようにしてなる請求項１または２に記載の健診情報入力システム。
【発明の詳細な説明】
【技術分野】
【０００１】
本発明は、健康診断（健診）により得られた過去の健診情報を蓄積し、今回の健診時、過去の健診情報及び今回の問診情報から健診検査項目をプライオリティの高い順に自動選択することができるようにした健診情報入力システムに関する。
【背景技術】
【０００２】
現在健康な生活を送る上で人間ドックや定期健診は欠かせないものとなっており、例えば勤労者が人間ドックや定期健診を受ける場合、企業や健康保険組合と健診設備との間との契約で受診項目や費用等を決定している。
また現在の人間ドックや健診は、病気の早期発見と早期治療を目的として検査項目を決めているため、通常の健診者（健常者）は基本的な検査項目を受診するだけでも特に問題を生じることはないが、基本的な検査項目以外の検査を希望する健診者には、オプションとしてがんやアレルギー等の検査項目を追加して受診することも可能となっている。
【０００３】
一方健診時得られた健診データと生活内容データを記憶し、２回目の健診データと比較して、治療の効果を判断するシステムが例えば特許文献１で提案されている。
前記特許文献１に記載の治療予測モデル構築システムは、対象者に対する治療効果を判断し、治療効果の判断結果と、同一対象者のレセプトデータにより示される治療内容及び生活内容データとから、治療内容の適切性を判断すると共に、判断された治療内容の適切性を用いて対象者の治療内容を所定パラメータごとにモデル化し、構築されたモデルに基づいて、個々の対象者の治療内容を見直すことにより新たな治療内容を提案するように構成されている。
【特許文献１】特開２００６−１５５４１１号公報
【発明の開示】
【発明が解決しようとする課題】
【０００４】
いままでの人間ドックや定期健診では、前述したように基本的な検査項目が予め決まっていて、希望者にオプションとしてがんやアレルギー等の検査項目を追加できるシステムとなっていたが、２００８年度の健診・保健指導プログラムの見直しにより、検査項目が生活習慣病の予防及び早期発見を目的としたものに変更される可能性がある。
このため従来の基本的な検査項目のみの健診や、前記特許文献１に記載されていたシステムでは、健診者に最適な健診項目を満足する健診が実施できない可能性がある。
本発明はかかる事情に鑑みなされたもので、過去の健診情報及び今回の問診情報から健診検査項目をプライオリティの高い順に自動選択することができる健診情報入力システムを提供することを目的とするものである。
【課題を解決するための手段】
【０００５】
本発明の健診情報入力システムは、健診設備において健診を受ける際に、健診者に最適な検査項目を選択するための健診情報入力システムであって、健診を実施する上で必要な健診システムプログラム等が格納された健診システムサーバーと、健診者が過去に受けた健診の際に得られた健診情報及び今回の問診情報から、自覚症状や既往歴、業務歴のように項目別にプライオリティを設定したプライオリティ設定テーブルを格納したデータベースサーバーと、健診施設において健診者の検体検査や生理検査等を実施する外部接続システムと、健診情報システムサーバーにアクセスして、健診の受付や健診項目の設定、追加受診項目の設定、問診情報の入力等を行う電子端末と、健診システムサーバーとデータベースサーバー、外部接続システム及び電子端末とを接続するネットワークと、電子端末で設定した検査項目に対し、データベースサーバーに登録された今回受診のプライオリティの累積値を算出し、算出されたプライオリティ値の高い順から受診項目を自動選択する自動選択手段とから構成したものである。
【０００６】
前記構成により、電子端末を操作することにより、健診の予約と同時に健診検査項目をプライオリティの高い順に自動選択することができ、これによって生活習慣病のみならず、広範囲で健診者の的確な疾病判断が可能となる上、健診者の希望によりオプションで検査を希望する場合の的確な判断材料が得られるようになる。
また健診者が受診すべき検査項目を提示することにより、健診者への丁重なサービスを提供することができる上、生活習慣病以外の疾病を早期に発見するための補助機能になるため、全疾病の早期発見を促進することができると共に、２００８年度より実施が予定されている健診・保健指導プログラムにも十分に対応することができる。
【０００７】
本発明の健診情報入力システムの自動選択手段は、電子端末の表示手段に表示された受診項目一覧の受診の可否を設定するようにしたものである。
【０００８】
前記構成により、健診者の希望によりオプションで検査を希望する場合の的確な判断材料が得られる上、受診項目の追加や削除が容易に行える。
【０００９】
本発明の健診情報入力システムの自動選択手段は、電子端末の表示画面に表示された自己負担金上限設定の画面の自己負担金上限設定エリアに支払い上限金額を設定し、設定された金額以下になるように検査項目を自動設定するようにしたものである。
【００１０】
前記構成により、自己負担金情報に設定された金額以下になるように検査種類が自動的に選択されるので、健診者が予定していた予算をオーバーすることがない。
【発明の効果】
【００１１】
本発明の健診情報入力システムによれば、電子端末を操作することにより、健診の予約と同時に健診検査項目をプライオリティの高い順に自動選択することができ、これによって生活習慣病のみならず、広範囲で健診者の的確な疾病判断が可能となる。
【発明を実施するための最良の形態】
【００１２】
本発明の実施の形態を、図面を参照して詳述する。
図１は健診情報入力システムの全体的な構成図、図２ないし図７はシステムを構成するデータベースサーバに格納されたテーブルの内容を示す図、図８ないし図１７は電子端末の表示手段に表示された設定画面を示す図、図１８及び図１９は健診情報入力システムの作用を示すフローチャートである。
図１に示す健診を実施する病院等の健診設備１には、健診システムサーバ２と、データベースサーバ３及び外部接続システム４が設置され、これらは健診を行う健診室（図示せず）等に設置された複数の電子端末（健診クライアント）５にネットワーク６を介して接続されており、ネットワーク６には健診に必要なデータをプリントアウトするプリンタ７も接続されている。
健診システムサーバ２には、健診を実施する上で必要な健診システムプログラム等が格納されており、データベースサーバ３には、図２に示すプライオリティ（自覚症状）設定テーブル１１と、図３に示すプライオリティ（既往歴）設定テーブル１２、図４に示すプライオリティ（業務歴）設定テーブル１３、図５に示すプライオリティ（前回判定）設定テーブル１４、図６に示すプライオリティ該当テーブル１５、図７に示すプライオリティ累計テーブル１６等がそれぞれデータベースとして格納されている。
【００１３】
外部接続システム４は、健診者の例えば体重や身長、血圧、心電図等を測定する検体検査手段や、血液や尿等を検査する生理検査手段（何れも図示せず）より構成されていて、これら検査手段により得られた検体データや生理データは、ネットワーク６を介してデータベースサーバ３へ送られ、図２ないし図７に示す設定テーブルの所定項目へ記録されるようになっている。
ネットワーク６を介して健診システムサーバ２やデータベースサーバ３に接続された電子端末５には、パーソナルコンピュータ等が使用されていて、健診施設１内の例えば受け付けや、診察室、待合室等に設置されており、受け付け業務者や医師が操作できる他、健診者自身が自宅に設置した電子端末５によりインターネット等の通信手段を介し健診検査項目を設定したり、選択することもできるようになっている。
【００１４】
図２はデータベースサーバ３に格納されているプライオリティ（自覚症状）設定テーブル１１を示すもので、この設定テーブルには、検査番号１１ａと検査項目１１ｂ、検査種類１１ｃ、プライオリティ１１ｄが設定されており、例えば検査番号２００１に胃痛が、検査番号２００２に胸焼け等の自覚症状が割り当てられている。
また自覚症状が例えば胃痛の場合、症状によって検査の種類１１ｃが例えば胃部Ｘ線、胃部内視鏡、腹部超音波のように区分されていて、区分毎にプロパティ１１ｄが設定されており、検査種類１１ｃが例えば胃部Ｘ線撮影の場合、プロパティ１１ｄは「４」となっている。
図３はプライオリティ（既往歴）設定テーブル１２を示すもので、検査番号１２ａと、既往歴１２ｂ、検査種類１２ｃ、プライオリティ１２ｄが設定されていて、例えば検査番号３００１に高血圧が、検査番号３００２に糖尿病が、検査番号３００３に胃潰瘍が割り当てられている。
また既往歴１２ｂが例えば高血圧の場合、検査種類１２ｃが血圧測定や心電図、糖代謝のように区分されていて、区分毎にプロパティ１２ｄが設定されており、検査種類が例えば血圧測定のプロパティ１２ｄは「５」となっている。
【００１５】
図４はプライオリティ（業務歴）設定テーブル１３を示すもので、検査番号１３ａと、業務歴１３ｂ、検査種類１３ｃ、プライオリティ１３ｄが設定されていて、例えば検査番号４００１に石綿が、検査番号４００２に騒音が、検査番号４００３にＶＤＴが割り当てられている。
また業務歴１３ｂが例えば石綿の場合、検査種類１３ｃが胸部Ｘ線や喀痰細胞診断のように区分されていて、区分毎にプロパティ１３ｄが設定されており、検査種類が例えば胸部Ｘ線の場合、プロパティ１３ｄは「７」となっている。
図５はプライオリティ（前回判定）設定テーブル１４を示すもので、検査番号１４ａ判定名称１４ｂ、判定１４ｃ、検査種類１４ｄ、プライオリティ１４ｅが設定されていて、例えば検査番号５００１に身体計測が、検査番号５００２に血圧が割り当てられている。
また判定名称１５ｂが例えば身体計測の場合、判定１４ｃ欄に判定結果がアルファベットで記録され、検査種類１４ｄには、血圧や脂質等の検査の種類が記録されており、検査種類１４ｄが例えば血圧検査の場合プライオリティ１４ｅは「３」となっている。
【００１６】
図６はプライオリティ該当テーブル１５を示すもので、健診者番号１５ａと、健診者１５ｂ、該当項目１５ｃが設定されており、健診者名毎に健診者番号が割り当てられており、例えば健診者番号０００００００００２の「日立太郎」は該当項目に胃痛が記録されている。
また図７はプライオリティ累計テーブル１６を示すもので、健診者番号１６ａと、健診者名１６ｂ、検査種類１６ｃ、プライオリティ１６ｄが設定されており、例えば健診者番号「０００００００００２」の「日立太郎」が過去に受けた検査の種類のうち、胸部Ｘ線検査のプライオリティの合計値が「９」となっている。
図８は電子端末５の表示手段５ａに表示された追加受診項目設定メニュー２０を示すもので、この追加受診項目設定メニュー２０には、自覚症状設定メニュー２０ａと、既往歴設定リンク２０ｂ、業務歴設定リンク２０ｃ、前回判定設定リンク２０ｄ、追加基準設定リンク２０ｅ、設定確認リンク２０ｆの各項目があり、図１８に示すフローチャートのステップＳ１で設定項目が選択できるようになっている。
【００１７】
図９はプライオリティ設定（自覚症状）２１の表示画面で、医師による問診時に電子端末の表示手段にステップＳ２で表示されるようになっている。
項目選択エリア２１ａには、番号毎に自覚症状が表示されている。例えば番号「２００１」には「胃痛」が、「２００２」には「胸焼け」が、「２００３」には「息切れ」が、「２００４」には「動悸」が、「２００５」には「めまい」が割り当てられている。
またプライオリティ設定（自覚症状）２１には、受診検査種類選択エリア２１ｂとプライオリティ設定エリア２１ｃがあって、受診検査種類エリア２１ｂで受診対象となる検査項目が図１８に示すフローチャートのステップＳ３で選択でき、かつプライオリティ設定エリア２１ｃでプライオリティ値を設定できるようになっている（ステップＳ４）。
そしてプライオリティ設定（自覚症状）２１の画面で選択した自覚症状に対し、受信対象検査項目が複数存在する場合は、画面に表示されている追加ボタン２１ｄをクリックすることにより、複数の登録が可能となり、誤って選択した場合は、取消ボタン２１ｅで取り消すことができる。
【００１８】
図１０はプライオリティ設定（既往歴）２２の表示画面で、医師による問診時に電子端末の表示手段にステップＳ２で表示されるようになっている。
項目選択エリア２２ａには、番号毎に自覚症状が表示されている。例えば番号「３００１」には「高血圧」が、「３００２」には「糖尿病」が、「３００３」には「胃潰瘍」が、「３００４」には「脳梗塞」が、「３００５」には「狭心症」が割り当てられている。
またプライオリティ設定（既往歴）２２には、受診検査種類選択エリア２２ｂとプライオリティ設定エリア２２ｃがあって、受診検査種類エリア２２ｂで受診対象となる検査項目が図１８に示すフローチャートのステップＳ３で選択でき、かつプライオリティ設定エリア２２ｃでプライオリティ値を設定できるようになっている（ステップＳ４）。
そしてプライオリティ設定（既往歴）２２の画面で選択した既往歴に対し、受診対象検査項目が複数存在する場合は、画面に表示されている追加ボタン２２ｄをクリックして受診対象検査項目を入力し、登録ボタン２２ｅをクリックすることにより複数の登録が可能となり、誤って選択した場合は、取消ボタン２２ｆで取り消すことができる。
【００１９】
図１１はプライオリティ設定（業務歴）２３の表示画面で、医師による問診時に電子端末の表示手段にステップＳ２で表示されるようになっている。
項目選択エリア２３ａには、番号毎に自覚症状が表示されている。例えば番号「４００１」には「石綿」が、「４００２」には「騒音」が、「４００３」には「ＶＤＴ」が、「４００４」には「振動工具」が、「４００５」には「紫外線」が割り当てられている。
またプライオリティ設定（既往歴）２３には、受診検査種類選択エリア２３ｂとプライオリティ設定エリア２３ｃがあって、受診検査種類エリア２３ｂで受診対象となる検査項目が図１８に示すフローチャートのステップＳ３で選択でき、かつプライオリティ設定エリア２２ｃでプライオリティ値を設定できるようになっている（ステップＳ４）。
そしてプライオリティ設定（既往歴）２３の画面で選択した業務歴に対し、受診対象検査項目が複数存在する場合は、画面に表示されている追加ボタン２３ｄをクリックして受診対象検査項目を入力し、登録ボタン２３ｅをクリックすることにより複数の登録が可能となり、誤って選択した場合は、取消ボタン２３ｆで取り消すことができる。
【００２０】
図１２はプライオリティ設定（前回判定）２４の表示画面で、医師による問診時に電子端末の表示手段にステップＳ２で表示されるようになっている。
項目選択エリア２４ａには、番号毎に前回検査項目が表示されている。例えば番号「５００１」には「身体測定」が、「５００２」には「血圧」が、「５００３」には「肝機能」が、「５００４」には「血液一般」が、「５００５」には「尿一般」が割り当てられている。
またプライオリティ設定（前回判定）２４には、前回判定設定エリア２４ｂと、受診検査種類選択エリア２４ｃと、プライオリティ設定エリア２４ｄがあって、受診検査種類エリア２４ｂで受診対象となる検査項目が図１８に示すフローチャートのステップＳ３で選択でき、かつプライオリティ設定エリア２４ｄでプライオリティ値を設定できるようになっている（ステップＳ４）。
そしてプライオリティ設定（前回判定）２４の画面で選択した前回判定に対し、受診対象検査項目が複数存在する場合は、画面に表示されている追加ボタン２４ｅをクリックして受診対象検査項目を入力し、登録ボタン２４ｆをクリックすることにより複数の登録が可能となり、誤って選択した場合は、取消ボタン２４ｇで取り消すことができる。
【００２１】
図１３は図１８に示すフローチャートのステップＳ６で電子端末５の表示手段５ａに表示された検査項目追加基準設定２５の画面を示す。
検査項目追加基準設定２５には、プライオリティ累積値設定エリア２５ａがあって、受診項目とみなすプライオリティ値が設定できるようになっており、自覚症状、既往歴、業務歴、前面判定で該当した項目に登録された受診対象検査項目のプライオリティ値がプライオリティ累積設定エリア２５ａで設定された値を超えた場合、受診対象検査項目として選択される。
図１４はプライオリティ設定確認２６の画面を示すもので、受診検査種類表示エリア２６ａに検査項目として、「胸部Ｘ線」、「胃部Ｘ線」、「腹部超音波」、「胃部内視鏡」、「腫瘍マーカー」等の項目がある。
そしてこの受診検査種類表示エリア２６ａで選択された検査項目の自覚症状等の項目別プライオリティ値がプライオリティ設定エリア２６ｂに表示され、プライオリティの合計値がプライオリティ累積値表示エリア２６ｃに表示されるようになっている。
【００２２】
次に図１９に示すフローチャートを参照して健診情報入力システムの作用を説明する。
健診者が健診の予約と健診を受けるべき健診項目を選択する方法には、過去に健診施設１で健診を受けたことがある健診者が自からインターネット等の通信手段を使用して電子端末５を操作する方法と、健診者が健診施設１へ出向いて受付に申し出、受付担当者が電子端末５を操作する方法、健診を実施する医師や看護師が電子端末５を操作する方法等があり、始めて健診を受ける場合は、健診者が健診施設１へ出向いて受付に申し出、受付担当者が電子端末５を操作する方法が適用される。
例えば健診者が自らインターネットを利用して健診を申し込む場合は、自宅の電子端末５から健診施設１の健診システムサーバ２１に予め登録されている健診者ＩＤとパスワードを入力し、健診の予約を行う。
【００２３】
健診システムサーバ２へのログオンに成功すると、電子端末５の表示手段５ａに図１５に示す受信者情報設定３０の画面が表示される。
この受信者情報設定３０には、健診者属性情報表示エリア３０ａと、予約受診情報表示エリア３０ｂとがあり、健診者属性情報エリア２１ａには、氏名や性別、生年月日等の個人情報が表示されている。
電子端末５の表示手段５ａに表示された受診者情報設定３０の画面から、図１９に示すフローチャートのステップのステップＳ１０で予約受診情報エリア３０ａをクリックし、表示された画面から受診コース等を選択する。
ステップＳ１０で予約の受付が完了すると、ステップＳ１１で予約者の過去（または前回）の受診項目を記録したデータベースサーバ３を自動検索し、ステップＳ１２へ進んで過去の受診項目の判定からプライオリティを自動的に算出する。
【００２４】
また健診日の直前には、今回の問診情報の登録をステップＳ１３で行う。
問診情報の登録に当たっては、図１５に示す受診情報設定３０の画面から問診ボタン３０ｄをクリックする。
これによって問診登録画面が表示されるので、健診予約者は、この画面から自覚症状、既往歴、業務歴、その他の問診情報を順次入力し、入力が完了したら登録ボタン３０ｃをクリックすることにより、健診予約者の問診情報がデータベースサーバ３の該当する設定テーブルに登録されると同時に、ステップＳ１４でプライオリティが自動的に計算される。
また図１５に示す受診者情報設定３０の画面から、受診項目ボタン３０ｅをクリックすると、図１６に示す受診項目一覧３１の画面が表示される。
【００２５】
受診項目一覧３１の画面には、図１５に示す受診者情報設定３０の画面と同様な健診者属性情報表示エリア３１ａと、受診検査種類表示エリア３１ｂ、設定項目プライオリティ３１ｃとがあり、受診検査種類表示エリア３１ｂには検査項目と累計があって、検査項目毎にプライオリティの累計が表示されている。
すなわち図１９に示すフローチャートのステップＳ１６で受診者情報設定３０の画面から受診項目ボタン３０ｅをクリックすると、図１６に示す受診項目一覧３１の画面が表示されるので、この画面から受診項目照会ボタン３１ｄをクリックして、受診項目を選択する。
受診項目には、「基本」と「追加」があって、「基本」を選択すると、受診検査種類表示エリア３１ｂに契約コースで受診する検査項目の一覧が表示され、「基本」を選択した場合は、累積されたプライオリティにかかわらず受診する項目自動設定される。
【００２６】
「基本」を選択した後に「追加」を選択すると、受診検査種類表示エリア３１ｂにプライオリティの計算が発生した検査項目の一覧が表示される。
そして各項目毎に計算されたプライオリティの累計が、図１３に示す検査項目追加基準設定２５の画面のプライオリティ累積値設定２５ａに予め登録された値を超えた場合は、受診検査種類表示エリア３１ｂに表示された検査項目の受診チェックボックス３１ｆに自動的にチェックが入り、デフォルトで追加受診項目として選択される。
【００２７】
一方図１６に示す受診項目一覧３１の検査種類表示エリア３１ｂで検査の種類を選択すると、積算プライオリティ詳細表示エリア３１ｇに、選択した検査種類の積算プライオリティの詳細が表示されるが、その際プライオリティ順にソートすることが可能である。
また受診チェックボックス３１ｆに入力されたチェックは、チェックボックス３１ｆをクリックすることにより手動で外すことができるので、図１９に示すフローチャートのステップＳ１６で受診対象外項目に変更することができる。
図１３に示す検査項目追加基準設定２５の画面で、プライオリティ累積値表示エリア２５ａに設定された値未満の場合でも、図１６に示す検査種類表示エリア３１ｂに検査項目が表示される。
しかしこの場合、検査項目のプライオリティ値がプライオリティ累積値表示エリア２５ａの設定値を超えていないため、チェックボックス３１ｆにチェックが入ることはないが、受診項目として設定したい場合は、チェックボックス３１ｆをクリックして、手動でチェックボックス３１ｆにチェックを入れることにより、検査項目を追加設定することもできる。
【００２８】
一方前記設定画面の入力時に、プライオリティが設定基準を超えている検査種類項目を全部検査項目として設定すると、健診者が予定していた予算をオーバーする可能性がある。
これを防止するため、健診者の支払い能力に応じて受付時に自己負担金情報を設定することもできる。
図１７は自己負担金上限設定３２の画面を示すもので、自己負担金の支払いに上限がある場合は、自己負担金上限設定３２の自己負担金上限設定エリア３２ａに支払い上限金額を設定する。
検査項目が基本のみの場合は、基本プライオリティ累計値の高い順に受診検査項目種類とみなすが、この場合でも設定金額をオーバーするボーダーラインに同一プライオリティ累積値の検査種類が存在した場合は、自己負担金上限情報に設定された金額以下に収まるように、同一プライオリティ累計値の検査種類を金額でソート（昇順）し、自己負担金情報に設定された金額以下になるように検査種類が自動的に選択されるので、健診者が予定していた予算をオーバーすることがない。
【００２９】
以上説明したように、健診者は自宅の電子端末５を操作することにより、健診の予約と同時に健診検査項目をプライオリティの高い順に自動選択することができ、これによって生活習慣病のみならず、広範囲で健診者の的確な疾病判断が可能となり、また健診者の希望によりオプションで検査を希望する場合の的確な判断材料が得られるようになる。
【００３０】
なお前記実施の形態は、健診者が自宅の電子端末５を操作して健診の予約を行う場合であるが、健診者が健診施設１へ出向いて健診者受付に申し出、受付担当者が電子端末５を操作する方法、健診する医師や看護師が電子端末５を操作する方法等の場合も同様な操作となるので、その説明は省略する。
【図面の簡単な説明】
【００３１】
【図１】本発明の実施の形態に健診情報入力システムの全体的な構成図である。
【図２】本発明の実施の形態になる健診情報入力システムのプライオリティ（自覚症状）設定テーブルを示す図である。
【図３】本発明の実施の形態になる健診情報入力システムのプライオリティ（既往歴）設定テーブルを示す図である。
【図４】本発明の実施の形態になる健診情報入力システムのプライオリティ（業務歴）設定テーブルを示す図である。
【図５】本発明の実施の形態になる健診情報入力システムのプライオリティ（前回判定）設定テーブルを示す図である。
【図６】本発明の実施の形態になる健診情報入力システムのプライオリティ該当テーブルを示す図である。
【図７】本発明の実施の形態になる健診情報入力システムのプライオリティ累計テーブルを示す図である。
【図８】本発明の実施の形態になる健診情報入力システムの追加受診項目設定の表示例を示す表示画面である。
【図９】本発明の実施の形態になる健診情報入力システムのプライオリティ設定（自覚症状）の表示例を示す表示画面である。
【図１０】本発明の実施の形態になる健診情報入力システムのプライオリティ設定（既往歴）の表示例を示す表示画面である。
【図１１】本発明の実施の形態になる健診情報入力システムのプライオリティ設定（業務歴）の表示例を示す表示画面である。
【図１２】本発明の実施の形態になる健診情報入力システムのプライオリティ設定（前回判定）の表示例を示す表示画面である。
【図１３】本発明の実施の形態になる健診情報入力システムの検査項目追加基準の表示例を示す表示画面である。
【図１４】本発明の実施の形態になる健診情報入力システムのプライオリティ設定確認の表示例を示す表示画面である。
【図１５】本発明の実施の形態になる健診情報入力システムの受診者情報設定の表示例を示す表示画面である。
【図１６】本発明の実施の形態になる健診情報入力システムの受診項目一覧の表示例を示す表示画面である。
【図１７】本発明の実施の形態になる健診情報入力システムの自己負担金上限設定の表示例を示す表示画面である。
【図１８】本発明の実施の形態になる健診情報入力システムの作用を示すフローチャートである。
【図１９】本発明の実施の形態になる健診情報入力システムの作用を示すフローチャーである。
【符号の説明】
【００３２】
１    健診設備
２    健診システムサーバー
３    データベースサーバー
４    外部接続システム
５    電子端末
６    ネットワーク
【図１】
2008117177.tif 000003
【図２】
2008117177.tif 000004
【図３】
2008117177.tif 000005
【図４】
2008117177.tif 000006
【図５】
2008117177.tif 000007
【図６】
2008117177.tif 000008
【図７】
2008117177.tif 000009
【図８】
2008117177.tif 000010
【図９】
2008117177.tif 000011
【図１０】
2008117177.tif 000012
【図１１】
2008117177.tif 000013
【図１２】
2008117177.tif 000014
【図１３】
2008117177.tif 000015
【図１４】
2008117177.tif 000016
【図１５】
2008117177.tif 000017
【図１６】
2008117177.tif 000018
【図１７】
2008117177.tif 000019
【図１８】
2008117177.tif 000020
【図１９】
2008117177.tif 000021